(57)【要約】【課題】  ユーザに対して使い勝手の良いＺ折り機能を有する画像形成装置、Ｚ折り方法を提供する。【解決手段】  画像形成処理で使用されるハードウェア資源と、画像形成に係る処理を行うプログラムとを有する画像形成装置において、原稿の読める向きを設定する向き設定手段と、前記原稿を出力した転写紙へのＺ折りの折り方向を設定する折り方向設定手段と、前記向き設定手段で設定された読める向きと、前記折り方向設定手段で設定された折り方向に基づき、前記転写紙をＺ折りするＺ折り手段とを有する。【選択図】  図５
2005221583.tif 000002
【特許請求の範囲】
【請求項１】
画像形成処理で使用されるハードウェア資源と、画像形成に係る処理を行うプログラムとを有する画像形成装置において、
原稿の読める向きを設定する向き設定手段と、
前記原稿を出力した転写紙へのＺ折りの折り方向を設定する折り方向設定手段と、
前記向き設定手段で設定された読める向きと、前記折り方向設定手段で設定された折り方向に基づき、前記転写紙をＺ折りするＺ折り手段と
を有することを特徴とする画像形成装置。
【請求項２】
前記Ｚ折り手段は、
前記原稿から読み取ったデータである原稿データを回転する回転手段と、
前記回転手段で回転された原稿データを出力する転写紙のサイズがＺ折り可能かどうかを判断するサイズ判断手段と
を有することを特徴とする請求項１に記載の画像形成装置。
【請求項３】
前記Ｚ折り手段は、
前記回転手段で回転された原稿データのサイズと、前記転写紙のサイズに基づき、前記原稿データのサイズを変倍する変倍サイズ決定手段を有することを特徴とする請求項２に記載の画像形成装置。
【請求項４】
前記Ｚ折り手段は、
前記転写紙の主走査幅と、前記原稿データの主走査幅または副走査幅とを比較する走査幅比較手段を有し、
前記走査幅比較手段での比較結果に基づき、前記原稿データの回転角度を決定することを特徴とする請求項１に記載の画像形成装置。
【請求項５】
前記転写紙をステープルするステープル手段を有することを特徴とする請求項１に記載の画像形成装置。
【請求項６】
前記ステープル手段がステープル可能かどうかは、前記ステープルする位置と、前記折り方向に基づき定まることを特徴とする請求項５に記載の画像形成装置。
【請求項７】
前記転写紙をパンチするパンチ手段を有することを特徴とする請求項１に記載の画像形成装置。
【請求項８】
前記パンチ手段がパンチ可能かどうかは、前記パンチする位置と、前記折り方向に基づき定まることを特徴とする請求項７に記載の画像形成装置。
【請求項９】
Ｚ折り可能な前記転写紙の種類の１つは、Ａ４サイズであることを特徴とする請求項１に記載の画像形成装置。
【請求項１０】
画像形成処理で使用されるハードウェア資源と、画像形成に係る処理を行うプログラムとを有する画像形成装置でのＺ折り方法であって、
原稿の読める向きを設定する向き設定段階と、
前記原稿を出力した転写紙へのＺ折りの折り方向を設定する折り方向設定段階と、
前記向き設定段階で設定された読める向きと、前記折り方向設定段階で設定された折り方向に基づき、前記転写紙をＺ折りするＺ折り段階と
を有することを特徴とするＺ折り方法。
【請求項１１】
前記Ｚ折り段階は、
前記原稿から読み取ったデータである原稿データを回転する回転段階と、
前記回転手段で回転された原稿データを出力する転写紙のサイズがＺ折り可能かどうかを判断するサイズ判断段階と
を有することを特徴とする請求項１０に記載のＺ折り方法。
【請求項１２】
前記回転段階は、
前記原稿が読める向きかどうか判断する向き判断段階と、
Ｚ折りの折り方法が右折りかどうか判断する右折り判断段階と、
前記向き判断段階と右折り判断段階の判断結果に基づき、前記原稿データを回転する角度を決定する段階と
を有することを特徴とする請求項１１に記載のＺ折り方法。
【請求項１３】
前記Ｚ折り段階は、
前記回転段階で回転された原稿データのサイズと、前記転写紙のサイズに基づき、前記原稿データのサイズを変倍する変倍サイズ決定段階を有することを特徴とする請求項１１に記載の画像形成装置。
【請求項１４】
前記変倍サイズ決定段階は、
前記原稿データと前記転写紙の方向が同方向かどうか判断する方向判断段階と、
前記方向判断段階の判断結果に基づき、前記原稿データのサイズを前記転写紙のサイズに等しいか２分の１にする変倍段階と
を有することを特徴とする請求項１３に記載のＺ折り方法。
【請求項１５】
前記Ｚ折り段階は、
前記転写紙の主走査幅と、前記原稿データの主走査幅または副走査幅とを比較する走査幅比較段階と、
前記走査幅比較手段での比較結果に基づき、前記原稿データの回転角度を決定する段階と
を有することを特徴とする請求項１０に記載のＺ折り方法。
【請求項１６】
前記転写紙をステープルするステープル段階を有することを特徴とする請求項１０に記載のＺ折り方法。
【請求項１７】
前記ステープル段階でステープル可能かどうかは、前記ステープルする位置と、前記折り方向に基づき定まることを特徴とする請求項１６に記載の画像形成装置。
【請求項１８】
前記転写紙をパンチするパンチ段階を有することを特徴とする請求項１０に記載のＺ折り方法。
【請求項１９】
前記パンチ段階でパンチ可能かどうかは、前記パンチする位置と、前記折り方向に基づき定まることを特徴とする請求項１８に記載のＺ折り方法。
【請求項２０】
Ｚ折り可能な前記転写紙の種類の１つは、Ａ４サイズであることを特徴とする請求項１０に記載のＺ折り方法。
【発明の詳細な説明】
【技術分野】
【０００１】
本発明は、Ｚ折り可能な画像形成装置と、その画像形成装置におけるＺ折り方法に関する。
【背景技術】
【０００２】
近年、ファクシミリ、プリンタ、コピーおよびスキャナなどの各装置の機能を１つの筐体内に収納した画像形成装置（以下、融合機という）が知られるようになった。この融合機は、１つの筐体内に表示部、印刷部および撮像部などを設けると共に、ファクシミリ、プリンタ、コピーおよびスキャナにそれぞれ対応する４種類のアプリケーションを設け、そのアプリケーションを切り替えることより、ファクシミリ、プリンタ、コピーおよびスキャナとして動作させるものである。
【０００３】
このような融合機の機能で、Ｚ折りといわれるものがある。このＺ折りとは、融合機が転写紙を自動的に折って排紙するものである。この機能は、例えばＡ４の原稿にＡ３が混在している場合、Ａ３を折ってＡ４に揃えるために用いられる。
【発明の開示】
【発明が解決しようとする課題】
【０００４】
従来から、このＺ折りは、Ａ３に対してはできるが、Ａ４に対してはできなかったり、ユーザが意図するＺ折りができないなど、使い勝手が良くなかった。
【０００５】
本発明はこのような問題点に鑑み、ユーザに対して使い勝手の良いＺ折り機能を有する画像形成装置、Ｚ折り方法を提供することを目的とする。
【課題を解決するための手段】
【０００６】
上記課題を解決するために、本発明は、画像形成処理で使用されるハードウェア資源と、画像形成に係る処理を行うプログラムとを有する画像形成装置において、原稿の読める向きを設定する向き設定手段と、前記原稿を出力した転写紙へのＺ折りの折り方向を設定する折り方向設定手段と、前記向き設定手段で設定された読める向きと、前記折り方向設定手段で設定された折り方向に基づき、前記転写紙をＺ折りするＺ折り手段とを有することを特徴とする。
【０００７】
また、上記課題を解決するために、本発明は、前記Ｚ折り手段は、前記原稿から読み取ったデータである原稿データを回転する回転手段と、前記回転手段で回転された原稿データを出力する転写紙のサイズがＺ折り可能かどうかを判断するサイズ判断手段とを有することを特徴とする。
【０００８】
また、上記課題を解決するために、本発明は、前記Ｚ折り手段は、前記回転手段で回転された原稿データのサイズと、前記転写紙のサイズに基づき、前記原稿データのサイズを変倍する変倍サイズ決定手段を有することを特徴とする。
【０００９】
また、上記課題を解決するために、本発明は、前記Ｚ折り手段は、前記転写紙の主走査幅と、前記原稿データの主走査幅または副走査幅とを比較する走査幅比較手段を有し、前記走査幅比較手段での比較結果に基づき、前記原稿データの回転角度を決定することを特徴とする。
【００１０】
また、上記課題を解決するために、本発明は、前記転写紙をステープルするステープル手段を有することを特徴とする。
【００１１】
また、上記課題を解決するために、本発明は、前記ステープル手段がステープル可能かどうかは、前記ステープルする位置と、前記折り方向に基づき定まることを特徴とする。
【００１２】
また、上記課題を解決するために、本発明は、前記転写紙をパンチするパンチ手段を有することを特徴とする。
【００１３】
また、上記課題を解決するために、本発明は、前記パンチ手段がパンチ可能かどうかは、前記パンチする位置と、前記折り方向に基づき定まることを特徴とする。
【００１４】
また、上記課題を解決するために、本発明は、Ｚ折り可能な前記転写紙の種類の１つは、Ａ４サイズであることを特徴とする。
【００１５】
また、上記課題を解決するために、本発明は、画像形成処理で使用されるハードウェア資源と、画像形成に係る処理を行うプログラムとを有する画像形成装置でのＺ折り方法であって、原稿の読める向きを設定する向き設定段階と、前記原稿を出力した転写紙へのＺ折りの折り方向を設定する折り方向設定段階と、前記向き設定段階で設定された読める向きと、前記折り方向設定段階で設定された折り方向に基づき、前記転写紙をＺ折りするＺ折り段階とを有することを特徴とする。
【００１６】
また、上記課題を解決するために、本発明は、前記Ｚ折り段階は、前記原稿から読み取ったデータである原稿データを回転する回転段階と、前記回転手段で回転された原稿データを出力する転写紙のサイズがＺ折り可能かどうかを判断するサイズ判断段階とを有することを特徴とする。
【００１７】
また、上記課題を解決するために、本発明は、前記回転段階は、前記原稿が読める向きかどうか判断する向き判断段階と、Ｚ折りの折り方法が右折りかどうか判断する右折り判断段階と、前記向き判断段階と右折り判断段階の判断結果に基づき、前記原稿データを回転する角度を決定する段階とを有することを特徴とする。
【００１８】
また、上記課題を解決するために、本発明は、前記Ｚ折り段階は、前記回転段階で回転された原稿データのサイズと、前記転写紙のサイズに基づき、前記原稿データのサイズを変倍する変倍サイズ決定段階を有することを特徴とする。
【００１９】
また、上記課題を解決するために、本発明は、前記変倍サイズ決定段階は、前記原稿データと前記転写紙の方向が同方向かどうか判断する方向判断段階と、前記方向判断段階の判断結果に基づき、前記原稿データのサイズを前記転写紙のサイズに等しいか２分の１にする変倍段階とを有することを特徴とする。
【００２０】
また、上記課題を解決するために、本発明は、前記Ｚ折り段階は、前記転写紙の主走査幅と、前記原稿データの主走査幅または副走査幅とを比較する走査幅比較段階と、前記走査幅比較手段での比較結果に基づき、前記原稿データの回転角度を決定する段階とを有することを特徴とする。
【００２１】
また、上記課題を解決するために、本発明は、前記転写紙をステープルするステープル段階を有することを特徴とする。
【００２２】
また、上記課題を解決するために、本発明は、前記ステープル段階でステープル可能かどうかは、前記ステープルする位置と、前記折り方向に基づき定まることを特徴とする。
【００２３】
また、上記課題を解決するために、本発明は、前記転写紙をパンチするパンチ段階を有することを特徴とする。
【００２４】
また、上記課題を解決するために、本発明は、前記パンチ段階でパンチ可能かどうかは、前記パンチする位置と、前記折り方向に基づき定まることを特徴とする。
【００２５】
また、上記課題を解決するために、本発明は、Ｚ折り可能な前記転写紙の種類の１つは、Ａ４サイズであることを特徴とする。
【発明の効果】
【００２６】
以上説明したように、本発明によれば、ユーザに対して使い勝手の良いＺ折り機能を有する画像形成装置、Ｚ折り方法が得られる。
【発明を実施するための最良の形態】
【００２７】
以下、本発明の実施例を図面に基づいて説明する。
【実施例】
【００２８】
図１は、本発明による融合機の一実施例の構成図を示している。融合機１は、ソフトウェア群２と、融合機起動部３と、ハードウェア資源４とを含むように構成される。
【００２９】
融合機起動部３は融合機１の電源投入時に最初に実行され、アプリケーション層５およびプラットホーム層６を起動する。例えば融合機起動部３は、アプリケーション層５およびプラットホーム層６のプログラムを、ハードディスク装置（以下、ＨＤＤという）などから読み出し、読み出した各プログラムをメモリ領域に転送して起動する。ハードウェア資源４は、スキャナ２５と、プロッタ２６と、その他のハードウェアリソース２４とを含む。このその他のハードウェアリソース２４は、ステープルするステープラーや、パンチや、ＡＤＦ（Auto Document Feeder）などを含む。
【００３０】
また、ソフトウェア群２は、ＵＮＩＸ（登録商標）などのオペレーティングシステム（以下、ＯＳという）上に起動されているアプリケーション層５とプラットホーム層６とを含む。アプリケーション層５は、プリンタ、コピー、ファックスおよびスキャナなどの画像形成にかかるユーザサービスにそれぞれ固有の処理を行うプログラムを含む。
【００３１】
アプリケーション層５は、プリンタ用のアプリケーションであるプリンタアプリ９と、コピー用アプリケーションであるコピーアプリ１０と、ファックス用アプリケーションであるファックスアプリ１１と、スキャナ用アプリケーションであるスキャナアプリ１２とを含む。
【００３２】
また、プラットホーム層６は、アプリケーション層５からの処理要求を解釈してハードウェア資源４の獲得要求を発生するコントロールサービス層７と、１つ以上のハードウェア資源４の管理を行ってコントロールサービス層７からの獲得要求を調停するシステムリソースマネージャ（以下、ＳＲＭという）２１と、ＳＲＭ２１からの獲得要求に応じてハードウェア資源４の管理を行うハンドラ層８とを含む。
【００３３】
コントロールサービス層７は、ネットワークコントロールサービス（以下、ＮＣＳという）１３、デリバリーコントロールサービス（以下、ＤＣＳという）１４、オペレーションパネルコントロールサービス（以下、ＯＣＳという）１５、ファックスコントロールサービス（以下、ＦＣＳという）１６、エンジンコントロールサービス（以下、ＥＣＳという）１７、メモリコントロールサービス（以下、ＭＣＳという）１８、ユーザインフォメーションコントロールサービス（以下、ＵＣＳという）１９、システムコントロールサービス（以下、ＳＣＳという）２０など、一つ以上のサービスモジュールを含むように構成されている。
【００３４】
なお、プラットホーム層６は予め定義されている関数により、アプリケーション層５からの処理要求を受信可能とするＡＰＩ２８を有するように構成されている。ＯＳは、アプリケーション層５およびプラットホーム層６の各ソフトウェアをプロセスとして並列実行する。
【００３５】
ＮＣＳ１３のプロセスは、ネットワークＩ／Ｏを必要とするアプリケーションに対して共通に利用できるサービスを提供するものであり、ネットワーク側から各プロトコルによって受信したデータを各アプリケーションに振り分けたり、各アプリケーションからのデータをネットワーク側に送信する際の仲介を行う。
【００３６】
例えばＮＣＳ１３は、ネットワークを介して接続されるネットワーク機器とのデータ通信をｈｔｔｐｄ（HyperText Transfer Protocol Daemon）により、ＨＴＴＰ（HyperText Transfer Protocol）で制御する。
【００３７】
ＤＣＳ１４のプロセスは、蓄積文書の配信などの制御を行う。ＯＣＳ１５のプロセスは、オペレータと本体制御との間の情報伝達手段となるオペレーションパネルの制御を行う。ＦＣＳ１６のプロセスは、アプリケーション層５からＰＳＴＮまたはＩＳＤＮ網を利用したファックス送受信、バックアップ用のメモリで管理されている各種ファックスデータの登録／引用、ファックス読み取り、ファックス受信印刷などを行うためのＡＰＩを提供する。
【００３８】
回転手段とサイズ判断手段と走査幅比較手段を有するＺ折り手段に対応するＥＣＳ１７のプロセスは、スキャナ２５、プロッタ２６、その他のハードウェアリソース２４などのエンジン部の制御を行う。ＭＣＳ１８のプロセスは、メモリの取得および解放、ＨＤＤの利用などのメモリ制御を行う。ＵＣＳ１９は、ユーザ情報の管理を行うものである。
【００３９】
ＳＣＳ２０のプロセスは、アプリケーション管理、操作部制御、システム画面表示、ＬＥＤ表示、ハードウェア資源管理、割り込みアプリケーション制御などの処理を行う。
【００４０】
ＳＲＭ２１のプロセスは、ＳＣＳ２０と共にシステムの制御およびハードウェア資源４の管理を行うものである。例えばＳＲＭ２１のプロセスは、スキャナ２５やプロッタ２６などのハードウェア資源４を利用する上位層からの獲得要求に従って調停を行い、実行制御する。
【００４１】
具体的に、ＳＲＭ２１のプロセスは獲得要求されたハードウェア資源４が利用可能であるか（他の獲得要求により利用されていないかどうか）を判定し、利用可能であれば獲得要求されたハードウェア資源４が利用可能である旨を上位層に通知する。また、ＳＲＭ２１のプロセスは上位層からの獲得要求に対してハードウェア資源４を利用するためのスケジューリングを行い、要求内容（例えば、プリンタエンジンによる紙搬送と作像動作、メモリ確保、ファイル生成など）を直接実施している。
【００４２】
また、ハンドラ層８は後述するファックスコントロールユニット（以下、ＦＣＵという）の管理を行うファックスコントロールユニットハンドラ（以下、ＦＣＵＨという）２２と、プロセスに対するメモリの割り振り及びプロセスに割り振ったメモリの管理を行うイメージメモリハンドラ（以下、ＩＭＨという）２３とを含む。ＳＲＭ２１およびＦＣＵＨ２２は、予め定義されている関数によりハードウェア資源４に対する処理要求を送信可能とするエンジンＩ／Ｆ２７を利用して、ハードウェア資源４に対する処理要求を行う。
【００４３】
融合機１は、各アプリケーションで共通的に必要な処理をプラットホーム層６で一元的に処理することができる。次に、融合機１のハードウェア構成について説明する。
【００４４】
図２は、融合機１の一実施例のハードウェア構成図を示している。融合機１は、コントローラボード３０と、オペレーションパネル３９と、ＦＣＵ４０と、エンジン４３とを含む。また、ＦＣＵ４０は、Ｇ３規格対応ユニット５２と、Ｇ４規格対応ユニット５３とを有する。
【００４５】
また、コントローラボード３０は、ＣＰＵ３１と、ＡＳＩＣ３６と、ＨＤＤ３８と、システムメモリ（ＭＥＭ−Ｐ）３２と、ローカルメモリ（ＭＥＭ−Ｃ）３７と、ノースブリッジ（以下、ＮＢと記す）３３と、サウスブリッジ（以下、ＳＢと記す）３４と、ＮＩＣ５０（Network Interface Card）と、ＵＳＢデバイス４１と、ＩＥＥＥ１３９４デバイス４２と、セントロニクスデバイス５１とを含む。
【００４６】
オペレーションパネル３９は、コントローラボード３０のＡＳＩＣ３６に接続されている。また、ＳＢ３４と、ＮＩＣ５０と、ＵＳＢデバイス４１と、ＩＥＥＥ１３９４デバイス４２と、セントロニクスデバイス５１とは、ＮＢ３３にＰＣＩバスで接続されている。
【００４７】
また、ＦＣＵ４０と、エンジン４３は、コントローラボード３０のＡＳＩＣ３６にＰＣＩバスで接続されている。
【００４８】
なお、コントローラボード３０は、ＡＳＩＣ３６にローカルメモリ３７、ＨＤＤ３８などが接続されると共に、ＣＰＵ３１とＡＳＩＣ３６とがＣＰＵチップセットのＮＢ３３を介して接続されている。このように、ＮＢ３３を介してＣＰＵ３１とＡＳＩＣ３６とを接続すれば、ＣＰＵ３１のインタフェースが公開されていない場合に対応できる。
【００４９】
また、ＡＳＩＣ３６とＮＢ３３とはＰＣＩバスを介して接続されているのでなく、ＡＧＰ（Accelerated Graphics Port）６７を介して接続されている。このように、図２のアプリケーション層５やプラットホーム層６を形成する一つ以上のプロセスを実行制御するため、ＡＳＩＣ３６とＮＢ３３とを低速のＰＣＩバスでなくＡＧＰ３５を介して接続し、パフォーマンスの低下を防いでいる。
【００５０】
ＣＰＵ３１は、融合機１の全体制御を行うものである。ＣＰＵ３１は、ＮＣＳ１３、ＤＣＳ１４、ＯＣＳ１５、ＦＣＳ１６、ＥＣＳ１７、ＭＣＳ１８、ＵＣＳ１９、ＳＣＳ２０、ＳＲＭ２１、ＦＣＵＨ２２、ＩＭＨ２３をＯＳ上にそれぞれプロセスとして起動して実行させると共に、アプリケーション層５を形成するプリンタアプリ９、コピーアプリ１０、ファックスアプリ１１、スキャナアプリ１２を起動して実行させる。
【００５１】
ＮＢ３３は、ＣＰＵ３１、システムメモリ３２、ＳＢ３４およびＡＳＩＣ３６を接続するためのブリッジである。システムメモリ３２は、融合機１の描画用メモリなどとして用いるメモリである。ＳＢ３４は、ＮＢ３３とＰＣＩバス、周辺デバイスとを接続するためのブリッジである。また、ローカルメモリ３７はコピー用画像バッファ、符号バッファとして用いるメモリである。
【００５２】
ＡＳＩＣ３６は、画像処理用のハードウェア要素を有する画像処理用途向けのＩＣである。ＨＤＤ３８は、画像の蓄積、プログラムの蓄積、フォントデータの蓄積、フォームの蓄積などを行うためのストレージである。また、向き設定手段と折り方向設定手段に対応するオペレーションパネル３９は、ユーザからの入力操作を受け付けると共に、ユーザに向けた表示を行う操作部である。
【００５３】
以下、Ｚ折について説明する。まず、以下の説明で用いられる「原稿データのサイズ」、「転写紙のサイズ」、「読める向き」、「読めない向き」、「右折り」、「下折り」、「タテ」、「ヨコ」などの語句についてと、基本的な動作について説明する。
【００５４】
「原稿データのサイズ」とは、原稿から読み取ったデータである原稿データを転写紙に出力する際に適合するＡ４やＢ５など用紙のサイズをいう。「転写紙のサイズ」は、Ａ４やＢ５など用紙のサイズをいう。従って、原稿データや転写紙の走査幅は、Ａ４やＢ５など用紙に対応した走査幅である。また、原稿データと転写紙が同じ方向とは、原稿データを転写紙に出力した場合の用紙の長辺（短辺）と転写紙の長辺（短辺）が平行であることをいう。
【００５５】
「読める向き」、「読めない向き」とは、ユーザが原稿を融合機でコピーする際に、ユーザから見て原稿に描かれた画像が読める、または読めない向きをいう。このことを具体的に図３を用いて説明する。図３には、ユーザ１００と、「Ｒ」と書かれた原稿１０１、１０２とが示されている。この図３は、コピーをするユーザを真上から見た図である。また、原稿１０１、１０２は向きが異なるが同じものである。
【００５６】
この図３において、ユーザから見て、原稿１０１は読むことができ、原稿１０２は読むことができない。従って、原稿１０１の向きが「読める向き」であり、原稿１０２の向きが「読めない向き」である。
【００５７】
次に、「右折り」、「下折り」について、図４を用いて説明する。図４には、原稿１０３、１０５と、Ｚ折りした転写紙１０４、１０６とが示されている。この図４に示されるように、「右折り」とは、「読める向き」の右側をＺ折りするものであり、「下折り」とは、「読める向き」の下側をＺ折りするものである。なお、図４と逆の場合となる原稿１０３の下折りと、原稿１０５の右折りは、Ｚ折り不可とする。このことを、図５を用いて説明する。
【００５８】
図５に示される表は、横軸に「読める向き」、「読めない向き」、縦軸に「右折り」、「下折り」が設けられた表で、表の１行目は原稿１１０、１１１、１１２、１１３を示し、２行目は右折りが指定された場合の転写紙を、３行目は下折りが指定された場合の転写紙を示している。
【００５９】
この表に示されるように、折りが長辺を折るものであれば、折られた転写紙となり、折りが短辺を折るものであれば、折られずにそのままの転写紙となる。
【００６０】
実際、折りが長辺を折るものとなる原稿１１０、１１２で下折りを指定した場合と、原稿１１１、１１３で右折りを指定した場合は、折られた転写紙となっている。また、折りが短辺を折るものとなる原稿１１０、１１２で右折りを指定した場合と、原稿１１１、１１３で下折りを指定した場合は、折られずにそのままの転写紙となっている。
【００６１】
なお、Ｚ折りされた転写紙は、原稿の１／２のサイズとなる。このことを、図６を用いて説明する。図６には、転写紙２０１、２０６と、原稿２０２、２０５とが示されている。転写紙２０６は、転写紙２０１が排出される様子を横から見たものであり、原稿２０５は、原稿を横から見たものである。また、点線２０３、２０４は、折り線を表している。このうち、点線２０３は、原稿を半分の大きさにし、点線２０４は、さらに半分にするものである。
【００６２】
Ｚ折りされた転写紙は、これらの点線２０３、２０４で折られたものとなる。なお、折り位置は若干の調整ができるようになっている。図７は、折り位置の調整を示すものである。図７には、通常転写紙２１１と、調整転写紙２１２と、中心軸２１０とが示されている。折り位置は、調整転写紙２１２に示されるように、中心軸２１０に対し、先端を１ｍｍ単位で調整することができる。調整転写紙２１２の場合、−Ａｍｍ調整したものである。
【００６３】
次に、「タテ」、「ヨコ」について、再び図３を用いて説明する。一般的に、「タテ」とは、原稿１０１の向きをいい、「ヨコ」とは、原稿１０２の向きをいう。しかし、以下の実施例では、慣習に従い、原稿１０１の向きを「ヨコ」といい、原稿１０２の向きを「タテ」ということにする。これは、融合機が原稿を走査する方向から原稿を見るためである。通常、融合機は、ユーザ１００の右から左、あるいは逆の方向に走査する。その方向から見ると、原稿１０１の向きは「ヨコ」であり、原稿１０２の向きは「タテ」となる。
【００６４】
以上が、語句と基本的な動作の説明である。ユーザは、以上説明した折り方向と読める向きとをオペレーションパネル３９から入力することで、ユーザが意図するＺ折りを行うことができる。オペレーションパネル３９は、入力された読める向きと折り方向をＥＣＳ１７に通知する。
【００６５】
以下、用紙指定変倍するＺ折りや、原稿のサイズが混在している原稿にＺ折りを行う場合、どのように転写紙にコピーされるかを最初に説明し、その次にフローチャートを用いた説明を行う。
【００６６】
まず、図８を用いて、用紙指定変倍とＺ折りについて説明する。図８に示される表は、横軸に「読める向き」、「読めない向き」、縦軸に「右折り」、「下折り」が設けられた表で、「右折り」、「下折り」は、それぞれ変倍用紙をヨコまたはタテを選択した場合に分けられている。
【００６７】
この表を用いて、各原稿１１５、１１６、１１７、１１８を指定用紙変倍したとき転写紙について説明する。なお、以下の説明では、原稿とコピーした結果である転写紙を示し、そのコピー過程については後述するフローチャートで説明する。
【００６８】
まず、原稿１１５について説明する。原稿１１５を右折りでヨコサイズを選択した場合、そのまま変倍した転写紙１２０が排紙される。原稿１１５を右折りでタテサイズを選択した場合、１枚目の転写紙１２１のみ、右側を余白にしたものとなり、２枚目以降は、原稿１１５を変倍してタテサイズに向きを合わせた転写紙１２２となる。
【００６９】
次に、原稿１１５の下折りについて説明する。原稿１１５を下折りでヨコサイズを選択した場合、１枚目の転写紙１２３のみ、上側を余白にしたものとなり、２枚目以降は、原稿１１５を変倍した転写紙１２４となる。原稿１１５を下折りでタテサイズを選択した場合、変倍して下折りされた転写紙１２５が排紙される。
【００７０】
原稿１１６について説明する。原稿１１６を右折りでヨコサイズを選択した場合、１枚目の転写紙１２６のみ、上側を余白にしたものとなり、２枚目以降は、原稿１１６を変倍した転写紙１２７となる。原稿１１６を右折りでタテサイズを選択した場合、変倍して右折りされた転写紙１２８が排紙される。
【００７１】
次に、原稿１１６の下折りについて説明する。原稿１１６を下折りでヨコサイズを選択した場合、そのまま変倍した転写紙１２９が排紙される。原稿１１６を下折りでタテサイズを選択した場合、１枚目の転写紙１３０のみ、右側を余白にしたものとなり、２枚目以降は、原稿１１６を変倍した転写紙１３１となる。
【００７２】
原稿１１７について説明する。原稿１１７を右折りでヨコサイズを選択した場合、そのまま変倍した転写紙１３２が排紙される。原稿１１７を右折りでタテサイズを選択した場合、１枚目の転写紙１３３のみ、右側を余白にしたものとなり、２枚目以降は、原稿１１７を変倍してタテサイズに向きを合わせた転写紙１３４となる。
【００７３】
次に、原稿１１７の下折りについて説明する。原稿１３５を下折りでヨコサイズを選択した場合、１枚目の転写紙１３５のみ、上側を余白にしたものとなり、２枚目以降は、原稿１３５を変倍した転写紙１３６となる。原稿１１７を下折りでタテサイズを選択した場合、変倍して下折りされた転写紙１３７が排紙される。
【００７４】
原稿１１８について説明する。原稿１１８を右折りでヨコサイズを選択した場合、１枚目の転写紙１３８のみ、上側を余白にしたものとなり、２枚目以降は、原稿１１８を変倍した転写紙１３９となる。原稿１１８を右折りでタテサイズを選択した場合、変倍して右折りされた転写紙１４０が排紙される。
【００７５】
次に、原稿１１８の下折りについて説明する。原稿１１８を下折りでヨコサイズを選択した場合、そのまま変倍した転写紙１４１が排紙される。原稿１１８を下折りでタテサイズを選択した場合、１枚目の転写紙１４２のみ、右側を余白にしたものとなり、２枚目以降は、原稿１１８を変倍した転写紙１４３となる。
【００７６】
次に、原稿のサイズが混在した原稿のＺ折りについて、図９を用いて説明する。図９に示される表は、横軸に「読める向き」、「読めない向き」、縦軸に混在された２枚の原稿の種類が３組示されている。横軸の「読める向き」、「読めない向き」は、混在された２枚の原稿のうち、１枚目の原稿の向きを示している。
【００７７】
まず、１組目の原稿について説明する。１組目の原稿は、１枚目がＡ４タテで、２枚目がＡ４ヨコとなっている。読める向きの１組目の原稿は、原稿１５０、１５１で、この順にコピーされる。これらの原稿を右折りで指定した場合、原稿１５０は転写紙１５２に、原稿１５１は転写紙１５３となり、いずれもＺ折りされることはない。下折りで指定した場合、原稿１５０は転写紙１５４に、原稿１５１は転写紙１５５となり、いずれもＺ折りされる。
【００７８】
読めない向きの１組目の原稿は、原稿１５６、１５７で、この順にコピーされる。これらの原稿を右折りで指定した場合、原稿１５６は転写紙１５８に、原稿１５７は転写紙１５９となり、いずれもＺ折りされる。下折りで指定した場合、原稿１５６は転写紙１６０に、原稿１５７は転写紙１６１となり、いずれもＺ折りされることはない。
【００７９】
次に、２組目の原稿について説明する。２組目の原稿は、１枚目がＡ４ヨコで、２枚目がＡ３タテの原稿となっている。読める向きの１組目の原稿は、原稿１６２、１６３で、この順にコピーされる。これらの原稿を右折りで指定した場合、原稿１６２は転写紙１６４に、原稿１６３は転写紙１６５となり、２枚目の原稿がＺ折りされる。下折りで指定した場合、原稿１６２は転写紙１６６に、原稿１６３は転写紙１６７となり、いずれもＺ折りされる。
【００８０】
読めない向きの２組目の原稿は、原稿１６８、１６９で、この順にコピーされる。これらの原稿を右折りで指定した場合、原稿１６８は転写紙１７０に、原稿１６９は転写紙１７１となり、いずれもＺ折りされる。下折りで指定した場合、原稿１６８は転写紙１７２に、原稿１６９は転写紙１７３となり、２枚目の原稿がＺ折りされる。
【００８１】
次に、３組目の原稿について説明する。３組目の原稿は、１枚目がＡ４タテで、２枚目がＡ５ヨコの原稿となっている。読める向きの３組目の原稿は、原稿１６２、１６３で、この順にコピーされる。これらの原稿を右折りで指定した場合、原稿１７４は転写紙１７６に、原稿１７５は転写紙１７７となり、１枚目の原稿がＺ折りされる。下折りで指定した場合、原稿１７４は転写紙１７８に、原稿１７５は転写紙１７９となり、いずれもＺ折りされることはない。
【００８２】
読めない向きの３組目の原稿は、原稿１８０、１８１で、この順にコピーされる。これらの原稿を右折りで指定した場合、原稿１８０は転写紙１８２に、原稿１８１は転写紙１８３となり、いずれもＺ折りされることはない。下折りで指定した場合、原稿１８０は転写紙１８４に、原稿１８１は転写紙１８５となり、１枚目の原稿がＺ折りされる。
【００８３】
以上説明した用紙指定変倍するＺ折りや、原稿のサイズが混在している原稿にＺ折りする場合の処理をフローチャートを用いて説明する。
【００８４】
なお、以下のフローチャートの処理は、ＥＣＳ１７が行う処理である。また、回転や変倍されるのは、原稿データであるが、特に必要のない限り単に原稿と表現する。
【００８５】
最初に、図１０を用いてＺ折りの基本動作フローについて説明する。向き設定段階と折り方向設定段階に対応するステップＳ１０１は、ユーザから読める向きと折り方向が入力される。回転段階に対応するステップＳ１０２は、Ｚ折り回転処理である。この回転とは、スキャンした原稿のデータの電子的な回転である。サイズ判断段階に対応するステップＳ１０３は、Ｚ折りサイズ判断処理であり、処理が終了する。Ｚ折りサイズ判断処理とは、Ｚ折り可能なサイズかどうか判断する処理である。いかなるサイズであっても、Ｚ折りが可能というわけではなく、本実施例では、Ａ３タテ、Ｂ４タテ、Ａ４タテ、ＤＬＴタテ、ＬＧタテ、ＬＴタテをＺ折り可能としている。
【００８６】
次に、図１１のフローチャートを用いて、図１０のステップＳ１０２の処理の詳細を説明する。向き判断段階に対応するステップＳ２０１は、原稿が読める向きかどうか判断である。読める向きの場合ステップＳ２０２へ処理が分岐する。ステップＳ２０２は、右折りかどうかの判断である。右折りの場合、ステップＳ２０３で、回転なしとなり、処理は終了する。ステップＳ２０２で、右折りと判断されなかった場合、ステップＳ２０５の処理が行われる。
【００８７】
ステップＳ２０１で読めない向きと判断された場合、ステップＳ２０４で、右折りかどうか判断される。右折りでなければ、ステップＳ２０３へ処理は進む。右折りの場合、ステップＳ２０５の処理が行われる。
【００８８】
ステップＳ２０５は、９０度または２７０度回転可能かどうか判断する処理である。回転可能であれば、ステップＳ２０６で回転が行われ処理が終了する。回転不可能であれば、ステップＳ２０７で、折り不可方向と判断され、処理が終了する。上記ステップＳ２０２、ステップＳ２０４は、右折り判断段階に対応する。また、ステップＳ２０３、ステップＳ２０６、ステップＳ２０７は、原稿データを回転する角度を決定する段階である。
【００８９】
次に、図１２のフローチャートを用いて、図１０のステップＳ１０３の処理の詳細を説明する。ステップＳ３０１は、Ｚ折り可能サイズかどうかの判断処理である。Ｚ折り可能なサイズの場合、ステップＳ３０２で、Ｚ折りされ出力される。Ｚ折り不可能なサイズの場合、ステップＳ３０３で、そのままＺ折りせずに出力される。
【００９０】
以上説明した基本動作によるコピーのイメージを表したのが、図１３である。図１３には、原稿を読み取ったデータ２２０、２２１、２２２、２２３、２２４、２２５と、転写紙２２６、２２７，２２８、２２９が示されている。
【００９１】
図１１のステップＳ２０１の読める向きかどうかの判断で、データ２２０、２２１の２つに分岐される。次に、ステップＳ２０２、２０４で、右折りかどうかが判断される。ステップＳ２０３の回転なしの場合が、データ２２２、２２５に対応している。ステップＳ２０５の回転の場合が、データ２２３、２２４に対応する。そして、ステップＳ３０１のＺ折り可能かどうかが判断される。ステップＳ３０２のＺ折りの場合が、転写紙２２７、２２８に対応し、ステップＳ３０３のそのままの場合が、転写紙２２６、２２９に対応する。
【００９２】
以上がＺ折りの基本的な処理である。次に、用紙指定変倍するＺ折りの基本動作について、図１４のフローチャートを用いて説明する。なお、図１４は、既にユーザから読める向きと折り方向が入力されているものとする。ステップＳ４０１は、Ｚ折り回転処理である。次のステップＳ４０２は、変倍サイズ決定段階に対応する変倍サイズ決定処理である。次のステップＳ４０３は、Ｚ折りサイズ判断処理である。このうち、ステップＳ４０１とステップＳ４０３は、上述したステップＳ１０１とステップＳ１０２にそれぞれ対応する。よって、ステップＳ４０２の詳細を、図１５のフローチャートを用いて説明する。
【００９３】
方向判断段階に対応するステップＳ５０１は、回転後の原稿データと選択転写紙が同方向かどうかの判断である。同方向であれば、ステップＳ５０２で変倍サイズが選択転写紙サイズとなり、処理が終了する。ステップＳ５０１で同方向ではないと判断された場合、ステップＳ５０３で、変倍サイズが選択転写紙の１／２となり、処理が終了する。なお、上記ステップＳ５０２、ステップＳ５０３は、変倍段階に対応する。
【００９４】
以上説明した図１４、１５で用紙指定変倍処理が行われるが、より分かりやすくするため、これらのフローチャートまとめた図１６のフローチャートを説明する。
【００９５】
ステップＳ６０１は、原稿が読める向きかどうか判断である。読める向きの場合ステップＳ６０２へ処理が分岐する。ステップＳ６０２は、右折りかどうかの判断である。右折りの場合、ステップＳ６０３で、原稿と選択転写紙が同方向かどうかの判断が行われる。同方向であれば、ステップＳ６０４で、回転角度が０度で、読み取りサイズが選択転写紙サイズとされ、処理が終了する。
【００９６】
ステップＳ６０３で、原稿と選択転写紙が同方向ではないと判断された場合、ステップＳ６１１で、回転角度が０度または１８０度で、読み取りサイズが選択転写紙サイズの半分とされ、処理が終了する。
【００９７】
ステップＳ６０２の処理に戻る。ステップＳ６０２で、右折りではないと判断された場合、ステップＳ６０５で、原稿と選択転写紙が同方向かどうかの判断が行われる。同方向であれば、ステップＳ６０６で、回転角度が９０度または２７０度で、読み取りサイズが選択転写紙サイズの半分とされ、処理が終了する。
【００９８】
ステップＳ６０５で、原稿と選択転写紙が同方向ではないと判断された場合、ステップＳ６１０で、回転角度が９０度または２７０度で、読み取りサイズが選択転写紙サイズとされ、処理が終了する。
【００９９】
ステップＳ６０１の処理に戻る。ステップＳ６０１で読めない向きと判断された場合、ステップＳ６０７で、右折りかどうか判断される。右折りであれば、ステップＳ６０８で原稿と選択転写紙が同方向かどうかの判断が行われる。同方向であれば、上述したステップＳ６０６へ処理が進む。同方向でなければ上述したステップＳ６１０へ処理が進む。
【０１００】
ステップＳ６０７で、右折りでなければ、ステップＳ６０９で原稿と選択転写紙が同方向かどうかの判断が行われる。同方向であれば、上述したステップＳ６０４へ処理が進む。同方向でなければ上述したステップＳ６１１へ処理が進む。
【０１０１】
以上が図１４、１５のフローチャートをまとめたものである。次に、以上説明した指定用紙変倍処理によるコピーのイメージを表したのが、図１７である。図１７には、原稿を読み取ったデータ２５０、２５１、２５２、２５３、２５４、２５５と、転写紙２５６、２５７，２５８、２５９、２６０、２６１、２６２、２６３、２６４、２６５、２６６、２６７，２６８、２６９、２７０、２７１、２７２、２７３、２７４、２７７、２７６、２７７，２７８、２７９が示されている。
【０１０２】
図１４のステップＳ４０１の回転処理で、データ２５０、２５１の２つに分岐され、さらにデータ２５３、２５４のように回転が行われる。データ２５２、２５５は、回転されずにそのままである。次のステップＳ４０２の変倍サイズ決定処理でデータと転写紙の向きが異なるものは、転写紙の１／２に変倍され、転写紙に出力される。転写紙２６５、２６６、２６８、２７１は、データが転写紙の１／２に変倍され出力された転写紙であり、転写紙２６４、２６７、２６９、２７０は、データが転写紙サイズに変倍された転写紙である。
【０１０３】
ステップＳ４０３は、Ｚ折りサイズ判定処理である。この処理により、タテでＺ折り可能なサイズである転写紙２７３、２７５、２７７、２７９はＺ折りされ、Ｚ折り不可能な転写紙２７２、２７４、２７６、２７８は、Ｚ折りされずに出力される。
【０１０４】
次に、原稿のサイズが混在している原稿にＺ折りを行う場合の処理を、図１８のフローチャートを用いて説明する。
【０１０５】
ステップＳ７０１で、先頭画像かどうかの判定が行われる。先頭画像の場合、走査幅比較段階に対応するステップＳ７０２で、図１１で示したＺ折り回転処理が行われる。先頭画像ではない場合、ステップＳ７０３で、先頭画像出力サイズの主走査幅が対象画像主走査幅と等しいかどうか判断する。この先頭画像出力サイズとは、１枚目のデータを出力する転写紙のサイズである。対象画像とは、原稿を読み取ったデータである。また、先頭画像とは、１枚目の原稿を読み取ったデータである。
【０１０６】
先頭画像出力サイズの主走査幅が対象画像主走査幅と等しい場合、ステップＳ７０４で、対象画像の回転角度が０度とされ、処理が終了する。ステップＳ７０３で、先頭画像出力サイズの主走査幅が、対象画像主走査幅と等しくないと判断されると、ステップＳ７０５へ処理は進む。
【０１０７】
ステップＳ７０５では、先頭画像出力サイズの主走査幅が対象画像副走査幅と等しいかどうか判断する。等しい場合、ステップＳ７０６で、対象画像の回転角度を９０度または２７０度とし、処理を終了する。等しくない場合、上述したステップＳ７０９へ処理が進む。上記ステップＳ７０４、ステップＳ７０６は、原稿データの回転角度を決定する段階に対応する。
【０１０８】
サイズが混在している原稿にＺ折りを行う場合の処理によるコピーのイメージを、図１９を用いて説明する。図１９には２つの例が示されている。まず１つ目の例は、１枚目の原稿３０１がＡ３で、２枚目の原稿３０２がＡ４の場合である。
【０１０９】
Ａ３の主走査幅とＡ４の主走査幅は異なり、Ａ３の主走査幅とＡ４の副走査幅は等しいので、ステップＳ７０６の処理となる。従って、２枚目の原稿３０２が９０度回転される。よって、図１９に示されるように、転写紙３０３は、Ｚ折りされ、転写紙３０４は、原稿３０２を９０度回転させたものとなる。
【０１１０】
次に、２つ目の例について説明する。２つ目の例は、１枚目の原稿３０５がＡ３で、２枚目の原稿３０６がＢ４の場合である。Ａ３の主走査幅とＢ４の主走査幅は異なり、Ａ３の主走査幅とＢ４の副走査幅も異なるので、ステップＳ７０９の処理となる。従って、２枚目の原稿３０６は、回転されない。よって、図１９に示されるように、転写紙３０７と転写紙３０８はＺ折りされたものとなる。
【０１１１】
以上がＺ折りの基本動作と、指定変倍と、サイズの混在の場合の処理内容である。このＺ折りと組み合わせるものとして、ステープルとパンチが挙げられる。
【０１１２】
図２０と図２１は、ステープルが可能かどうかを○×で示すステープル表で、可能な場合が○で、不可能な場合が×で表している。また、この表には、縦軸に「右折り」、「左折り」が、横軸にステープルする位置が示されている。
【０１１３】
ステープルをする位置は、通常、転写紙の４隅であり、それら４隅の名称は、左奥、左手前、右奥、右手前となっている。左奥と左手前の２ヶ所にステープルする場合、左２ヶ所といわれる。同様に右奥と右手前の２ヶ所にステープルする場合、右２ヶ所といわれる。また、上記位置に斜めにステープルする場合、位置を示す名称に斜めが加わる。さらに、左奥と右奥の２ヶ所にステープルする場合、上２ヶ所と言われる。中とじは今までのような４隅ではなく、開いた週刊誌の中央がとじられているように、転写紙の中央をとじるものである。
【０１１４】
これらを前提に図２０と図２１の表から、右折りのときに可能なのは「左奥１ヶ所」、「左手前１ヶ所」、「左奥斜め１ヶ所」、「左２ヶ所」であり、不可能なのは「右奥１ヶ所」、「右手前１ヶ所」、「右奥斜め１ヶ所」、「右２ヶ所」、「上２ヶ所」、「中とじ」である。下折りのときに可能なのは、「左奥１ヶ所」、「右奥１ヶ所」、「右奥斜め１ヶ所」、「上２ヶ所」であり、不可能なのは、「左手前１ヶ所」、「左奥斜め１ヶ所」、「左２ヶ所」、「右手前１ヶ所」、「右２ヶ所」、「中とじ」である。
【０１１５】
このようにステープル可能かどうかは、ステープルする位置と、折り方向に基づき定まる。
【０１１６】
次に、パンチについて、図２２を用いて説明する。図２２は、パンチが可能かどうかを○×で示すパンチ表で、可能な場合が○で、不可能な場合が×で表している。また、この表は、縦軸に「右折り」、「左折り」が、横軸にパンチをする位置が示されている。「パンチ上」、「パンチ右」、「パンチ左」は、パンチの位置を表す名称であり、それぞれ、転写紙の上側、右側、左側にパンチすることを表す。
【０１１７】
図２２に示されるように、右折りのときに可能なのは「パンチ左」のみであり、不可能なのは、「パンチ上」、「パンチ右」である。下折りのときに可能なのは、「パンチ上」のみであり、不可能なのは、「パンチ右」、「パンチ左」である。
【０１１８】
このように、パンチ可能かどうかは、パンチする位置と、前記折り方向に基づき定まる。
【図面の簡単な説明】
【０１１９】
【図１】本発明による融合機の一実施例の構成図である。
【図２】本発明による融合機の一実施例のハードウェア構成図である。
【図３】向きを説明する図である。
【図４】右・左折りを説明する図である。
【図５】Ｚ折りを説明する図である。
【図６】Ｚ折りされた転写紙を示す図である。
【図７】折り位置の調整を示す図である。
【図８】用紙指定変倍とＺ折りを示す図である。
【図９】サイズが混在した原稿のＺ折りを示す図である。
【図１０】基本動作を示すフローチャートである。
【図１１】Ｚ折り回転処理を示すフローチャートである。
【図１２】Ｚ折りサイズ判断処理を示すフローチャートである。
【図１３】基本動作によるコピーのイメージを示す図である。
【図１４】用紙指定変倍するＺ折りの基本動作を示すフローチャートである。
【図１５】Ｚ折り変倍サイズ決定処理を示すフローチャートである。
【図１６】用紙指定変倍処理をまとめた処理を示すフローチャートである。
【図１７】指定用紙変倍処理によるコピーのイメージを示す図である。
【図１８】混在している原稿にＺ折りを行う処理を示すフローチャートである。
【図１９】混在している原稿にＺ折りを行う処理によるコピーのイメージを示す図である。
【図２０】ステープル表を示す図である。
【図２１】ステープル表を示す図である。
【図２２】パンチ表を示す図である。
【符号の説明】
【０１２０】
１  融合機
２  ソフトウェア群
３  融合機起動部
４  ハードウェア資源
５  アプリケーション層
６  プラットホーム層
７  コントロールサービス層
８  ハンドラ層
９  プリンタアプリ
１０  コピーアプリ
１１  ファックスアプリ
１２  スキャナアプリ
１３  ネットワークコントロールサービス（ＮＣＳ）
１４  デリバリーコントロールサービス（ＤＣＳ）
１５  オペレーションパネルコントロールサービス（ＯＣＳ）
１６  ファックスコントロールサービス（ＦＣＳ）
１７  エンジンコントロールサービス（ＥＣＳ）
１８  メモリコントロールサービス（ＭＣＳ）
１９  ユーザインフォメーションコントロールサービス（ＵＣＳ）
２０  システムコントロールサービス（ＳＣＳ）
２１  システムリソースマネージャ（ＳＲＭ）
２２  ファックスコントロールユニットハンドラ（ＦＣＵＨ）
２３  イメージメモリハンドラ（ＩＭＨ）
２４  ハードウェアリソース
２５  スキャナ
２６  プロッタ
２７  エンジンＩ／Ｆ（ＰＣＩ）
２８  アプリケーションプログラムインターフェース（ＡＰＩ）
３０  コントローラボード
３１  ＣＰＵ
３２  システムメモリ（ＭＥＭ−Ｐ）
３３  ノースブリッジ（ＮＢ）
３４  サウスブリッジ（ＳＢ）
３５  ＡＧＰ（Accelerated Graphics Port）
３６  ＡＳＩＣ
３７  ローカルメモリ（ＭＥＭ−Ｃ）
３８  ハードディスク装置（ＨＤＤ）
３９  オペレーションパネル
４０  ファックスコントロールユニット（ＦＣＵ）
４１  ＵＳＢデバイス
４２  ＩＥＥＥ１３９４デバイス
４３  エンジン部
５０  ＮＩＣ
５１  セントロニクス
５２  Ｇ３対応ユニット
５３  Ｇ４対応ユニット
１００  ユーザ
１０１、１０２．１０３、１０５  原稿
１０４、１０６、１１０、１１１、１１２、１１３、１２０、１２１、１２２、１２３、１２４、１２５、１２６、１２７、１２８、１２９、１３０、１３１、１３２、１３３、１３４、１３５、１３６、１３７、１３８、１３９、１４０、１４１、１４２、１４３、２０１、２０６、１５２、１５３、１５４、１５５、１５８、１５９、１６０、１６１、１６４、１６５、１６６、１６７、１７０、１７１、１７２、１７３、１７６、１７７、１７８、１７９、１８２、１８３、１８４、１８５、２５６、２５７，２５８、２５９、２６０、２６１、２６２、２６３、２６４、２６５、２６６、２６７，２６８、２６９、２７０、２７１、２７２、２７３、２７４、２７７、２７６、２７７，２７８、２７９、３０３、３０４、３０７、３０８  転写紙
１１５、１１６、１１７、１１８、１５０、１５１、１５６、１５７、１６２、１６３、１６８、１６９、１７４、１７５、１８０、１８１、２０２、２０５、３０１、３０２、３０５、３０６  原稿
２０３、２０４  点線
２１０  中心軸
２１１  通常転写紙
２１２  調整転写紙
２５０、２５１、２５２、２５３、２５４、２５５  データ
【図１】
2005221583.tif 000003
【図２】
2005221583.tif 000004
【図３】
2005221583.tif 000005
【図４】
2005221583.tif 000006
【図５】
2005221583.tif 000007
【図６】
2005221583.tif 000008
【図７】
2005221583.tif 000009
【図８】
2005221583.tif 000010
【図９】
2005221583.tif 000011
【図１０】
2005221583.tif 000012
【図１１】
2005221583.tif 000013
【図１２】
2005221583.tif 000014
【図１３】
2005221583.tif 000015
【図１４】
2005221583.tif 000016
【図１５】
2005221583.tif 000017
【図１６】
2005221583.tif 000018
【図１７】
2005221583.tif 000019
【図１８】
2005221583.tif 000020
【図１９】
2005221583.tif 000021
【図２０】
2005221583.tif 000022
【図２１】
2005221583.tif 000023
【図２２】
2005221583.tif 000024